(57)【特許請求の範囲】
【請求項１】
少なくとも１本の電線を含むワイヤーハーネス本体部と、
不織部材が前記ワイヤーハーネス本体部の少なくとも一部を覆った状態でホットプレスされることにより形成された経路規制部分と、前記不織部材が前記ワイヤーハーネス本体部の延在方向に沿って前記経路規制部分の隣で前記ワイヤーハーネス本体部を覆うことにより形成され、前記経路規制部分よりも曲げ容易でかつ前記経路規制部分よりも凹んだ曲げ許容部分とを有する保護部材と、
を備え、
前記保護部材は、方形シート状の第１不織部材が前記ワイヤーハーネス本体部の少なくとも一部に巻付けられた部分と、前記第１不織部材が巻付けられた部分に対して前記ワイヤーハーネス本体部の延在方向に沿って部分的に細帯状の第２不織部材が巻付けられた部分とを有し、前記第２不織部材が巻付けられた部分に対応する部分で前記経路規制部が形成され、前記第２不織部材が巻付けられていない部分に対応する部分で前記曲げ許容部分が形成されている、ワイヤーハーネス。
【請求項２】
請求項１記載のワイヤーハーネスであって、
前記曲げ許容部分の表面は、ホットプレス用の型面に接しないで初期の表面状態を維持している、ワイヤーハーネス。
【請求項３】
請求項１又は請求項２に記載のワイヤーハーネスであって、
前記経路規制部分が複数設けられ、前記曲げ許容部分が前記複数の経路規制部分間に設けられている、ワイヤーハーネス。
【請求項４】
少なくとも１本の電線を含むワイヤーハーネス本体部の少なくとも一部を保護部材で覆ったワイヤーハーネスの製造方法であって、
(a)前記ワイヤーハーネス本体部の少なくとも一部にその延在方向に沿って均一な厚みとなるように第１不織部材を巻付ける工程と、
(b)前記ワイヤーハーネス本体部に巻付けられた前記第１不織部材に対してその延在方向に沿って部分的に第２不織部材を巻付ける工程と、
(c)前記ホットプレス用成形型の型面を前記第１不織部材の表面には押し当てず前記第２不織部材の表面には押し当てた状態でホットプレス加工する工程と、
を備え、
前記工程(a)では、前記第１不織部材として方形シート状のものを前記ワイヤーハーネス本体部の少なくとも一部に巻付け、
前記工程(b)では、前記ワイヤーハーネス本体部の少なくとも一部に巻付けられた前記第１不織部材の外周に、前記第２不織部材として細帯状の不織部材を巻付ける、ワイヤーハーネスの製造方法。
【請求項５】
請求項４に記載のワイヤーハーネスの製造方法であって、
前記工程(b)において、前記ワイヤーハーネス本体部に巻付けられた前記第１不織部材に対してその延在方向に沿って間隔をあけて複数箇所に前記第２不織部材を巻付ける、ワイヤーハーネスの製造方法。
【発明の詳細な説明】
【技術分野】
【０００１】
この発明は、ワイヤーハーネスを保護する技術に関する。
【背景技術】
【０００２】
従来、特許文献１のように、電線束を、不織布で覆った状態でホットプレスして電線用保護部材を形成する技術が提案されている。また、特許文献１では、圧縮度合、加熱温度等を異ならせることで、経路規制部分と曲げ許容部分とを作り分ける技術を開示している。
【先行技術文献】
【特許文献】
【０００３】
【特許文献１】特開２０１１−１６０６１１号公報
【発明の概要】
【発明が解決しようとする課題】
【０００４】
しかしながら、特許文献１に開示の技術では、比較的軟らかい曲げ許容部分が、外部の周辺部材と接触し易い態様で露出している。このため、曲げ許容部分で摩耗しやすい。
【０００５】
そこで、本発明は、不織布をホットプレスすることによって形成された保護部材において、部分的に曲げ容易な部分を形成した場合に、良好な耐摩耗性を得ることができるようにすることを目的とする。
【課題を解決するための手段】
【０００６】
上記課題を解決するため、第１の態様は、少なくとも１本の電線を含むワイヤーハーネス本体部と、不織部材が前記ワイヤーハーネス本体部の少なくとも一部を覆った状態でホットプレスされることにより形成された経路規制部分と、前記不織部材が前記ワイヤーハーネス本体部の延在方向に沿って前記経路規制部分の隣で前記ワイヤーハーネス本体部を覆うことにより形成され、前記経路規制部分よりも曲げ容易でかつ前記経路規制部分よりも凹んだ曲げ許容部分とを有する保護部材とを備える。
【０００７】
第２の態様は、第１の態様に係るワイヤーハーネスであって、前記曲げ許容部分の表面は、ホットプレス用の型面に接しないで初期の表面状態を維持している。
【０００８】
また、第１の態様では、前記保護部材は、方形シート状の第１不織部材が前記ワイヤーハーネス本体部の少なくとも一部に巻付けられた部分と、前記第１不織部材が巻付けられた部分に対して前記ワイヤーハーネス本体部の延在方向に沿って部分的に細帯状の第２不織部材が巻付けられた部分とを有し、前記第２不織部材が巻付けられた部分に対応する部分で前記経路規制部が形成され、前記第２不織部材が巻付けられていない部分に対応する部分で前記曲げ許容部分が形成されている。
【０００９】
第３の態様は、第１又は第２の態様に係るワイヤーハーネスであって、前記経路規制部分が複数設けられ、前記曲げ許容部分が前記複数の経路規制部分間に設けられている。
【００１０】
また、上記課題を解決するため、第４の態様は、少なくとも１本の電線を含むワイヤーハーネス本体部の少なくとも一部を保護部材で覆ったワイヤーハーネスの製造方法であって、(a)前記ワイヤーハーネス本体部の少なくとも一部にその延在方向に沿って均一な厚みとなるように第１不織部材を巻付ける工程と、(b)前記ワイヤーハーネス本体部に巻付けられた前記第１不織部材に対してその延在方向に沿って部分的に第２不織部材を巻付ける工程と、(c)前記ホットプレス用成形型の型面を前記第１不織部材の表面には押し当てず前記第２不織部材の表面には押し当てた状態でホットプレス加工する工程とを備える。
【００１１】
また、第４の態様では、前記工程(a)では、前記第１不織部材として方形シート状のものを前記ワイヤーハーネス本体部の少なくとも一部に巻付け、前記工程(b)では、前記ワイヤーハーネス本体部の少なくとも一部に巻付けられた前記第１不織部材の外周に、前記第２不織部材として細帯状の不織部材を巻付ける。
【００１２】
第５の態様は、第４の態様に係るワイヤーハーネスの製造方法であって、前記工程(b)において、前記ワイヤーハーネス本体部に巻付けられた前記第１不織部材に対してその延在方向に沿って間隔をあけて複数箇所に前記第２不織部材を巻付ける。
【発明の効果】
【００１３】
第１の態様に係るワイヤーハーネスによると、経路規制部分によってワイヤーハーネスの経路規制を行い、曲げ許容部分でワイヤーハーネスを部分的に曲げ容易にすることができる。また、曲げ許容部分は、経路規制部分よりも凹んでいるため、外部の周辺部材が曲げ許容部分に接触し難く、良好な耐摩耗性を得ることができる。
【００１４】
第２の態様によると、前記曲げ許容部分の表面は、ホットプレス用の型面に接しないで初期の表面状態を維持しているため、曲げ許容部分でより容易に曲げることができる。
【００１５】
第１の態様によると、方形シート状の第１不織部材及び細帯状の第２不織部材の巻付け方によって、経路規制部と曲げ許容部分とを作り分けることができる。
【００１６】
第３の態様によると、経路規制部分の間の曲げ許容部分でワイヤーハーネスを曲げることができる。
【００１７】
第４の態様によると、ワイヤーハーネス本体部に巻付けられた第１不織部材に対して第２不織部材が巻付けられた箇所では、ホットプレス用成形型によって十分に硬化するように加工されるため、ワイヤーハーネスの経路規制を行うことができる。また、ワイヤーハーネス本体部に巻付けられた第１不織部材のうち第２不織部材が巻付けられていない箇所では、第１不織部材の柔軟性が維持され、ワイヤーハーネスを部分的に曲げ容易にすることができる。また、後者の箇所は、前者の箇所よりも凹むため、当該後者の箇所荷外部の周辺部材が接触し難く、良好な耐摩耗性を得ることができる。
【００１８】
第４の態様によると、第１不織部材を均一な態様で巻付け易く、また、第２不織部材を局所的に巻付け易い。
【００１９】
第５の態様によると、複数箇所で経路規制し、また、その間の柔軟な箇所でワイヤーハーネスを曲げることができる。
【図面の簡単な説明】
【００２０】
【図１】実施形態に係るワイヤーハーネスを示す概略斜視図である。
【図２】同上のワイヤーハーネスを曲げた状態を示す概略斜視図である。
【図３】ワイヤーハーネスの製造工程を示す説明図である。
【図４】ワイヤーハーネスの製造工程を示す説明図である。
【図５】ワイヤーハーネスの製造工程を示す説明図である。
【図６】ワイヤーハーネスの製造工程を示す説明図である。
【図７】ワイヤーハーネスの製造工程を示す説明図である。
【図８】ワイヤーハーネスの製造工程を示す説明図である。
【図９】ワイヤーハーネスの製造工程を示す説明図である。
【図１０】変形例に係るワイヤーハーネスの製造工程を示す説明図である。
【図１１】変形例に係るワイヤーハーネスの製造工程を示す説明図である。
【図１２】変形例に係るワイヤーハーネスの製造工程を示す説明図である。
【発明を実施するための形態】
【００２１】
以下、実施形態に係るワイヤーハーネス１０及びその製造方法について説明する。
【００２２】
まず、ワイヤーハーネス１０について説明する。図１はワイヤーハーネス１０を示す概略斜視図であり、図２は同ワイヤーハーネス１０を曲げた状態を示す概略斜視図である。
【００２３】
ワイヤーハーネス１０は、ワイヤーハーネス本体部１２と、保護部材２０とを備えている。
【００２４】
ワイヤーハーネス本体部１２は、少なくとも１本の電線を含んでいる。ここでは、ワイヤーハーネス本体部１２は、複数の電線が束ねられることにより構成されている。なお、電線は、車体等において各種電気機器間を電気的に相互接続する配線材である。ワイヤーハーネス本体部１２に、光ケーブル等が含まれていてもよい。
【００２５】
保護部材２０は、不織部材（例えば、不織布）がワイヤーハーネス本体部１２の長手方向の少なくとも一部を覆った状態でホットプレスされることにより形成される。なお、保護部材２０は、ワイヤーハーネス本体部１２の長手方向略全体を覆っていてもよいし、ワイヤーハーネス本体部１２の一部を覆っていてもよい。
【００２６】
不織部材としては、加熱工程を経ることにより硬くなることが可能なものを用いることができる。このような不織部材として、基本繊維と、これと絡み合う接着樹脂（バインダとも呼ばれる）とを含むものを用いることができる。接着樹脂は、基本繊維の融点よりも低い融点（例えば、１１０℃〜１１５℃）を有する樹脂である。不織部材を基本繊維の融点よりも低くかつ接着樹脂の融点よりも高い加工温度に加熱すると、接着樹脂が溶融して基本繊維間に染込む。その後、不織部材が接着樹脂の融点よりも低い温度になると、基本繊維同士を結合した状態で接着樹脂が固化する。これより、不織部材が加熱前の状態よりも硬くなり、加熱時の成形形状に維持される。また、不織部材同士が接触している部分では、当該接触部分にも溶融した接着樹脂が染込んで固化する。これにより、不織部材同士の接触部分が接合される。
【００２７】
ただし、基本繊維は、接着樹脂の融点で繊維状態を保ち得る繊維であればよく、樹脂繊維の他、各種繊維を用いることができる。また、接着樹脂としては、基本繊維の融点よりも低い融点を持つ熱可塑性樹脂繊維を用いることができる。接着樹脂は、粒状であっても繊維状であってもよい。また、芯繊維の外周に接着樹脂層を形成してバインダ繊維を構成し、これを基本繊維と絡み合わせるようにしてもよい。この場合の芯繊維としては、上記基本繊維と同材料のものを用いることができる。
【００２８】
基本繊維と接着樹脂の組み合わせとしては、基本繊維をＰＥＴ（ポリエチレンテレフタレート）の樹脂繊維とし、接着樹脂をＰＥＴとＰＥＩ（ポリエチレンイソフタレート）の共重合樹脂とした例が挙げられる。この場合、基本繊維の融点はおよそ２５０℃であり、接着樹脂の融点は１１０℃〜１５０℃である。このため、不織部材を１１０℃〜２５０℃の温度に加熱すると、接着樹脂が溶融し、溶融せずに繊維状を保つ基本繊維間に染込む。そして、不織部材が接着樹脂の融点よりも低い温度になると、基本繊維同士を結合した状態で接着樹脂が固化し、上記成形形状の維持及び不織部材同士の接合を行う。
【００２９】
また、ホットプレスとは、不織部材に対する加熱処理及び不織部材を型に押付けて所定形状に形成する処理を施すことをいう。加熱処理と所定形状への形成処理とは、同時に行われてもよいし、或は、連続的に別々に行われてもよい。例えば、不織部材を圧縮状態で加熱した後、冷却により固まる前に所定の型に押付けて曲げることで、当該曲げ形状に維持できる。この実施形態に係る保護部材２０を製造するのに適したホットプレス加工の例については後にさらに詳述する。
【００３０】
この保護部材２０は、経路規制部分２２と、曲げ許容部分２４とを有している。
【００３１】
経路規制部分２２は、ワイヤーハーネス本体部１２を覆う不織部材をホットプレスすることにより形成された部分である。この経路規制部分２２は、ホットプレスによって十分に圧縮及び硬化され、ワイヤーハーネス本体部１２の経路を維持できる程度の形状維持性を有している。そして、この経路規制部分２２がワイヤーハーネス本体部１２の車両等における布設経路に応じた形状（直線状であってもよいし、曲っていてもよい）に形成されることで、ワイヤーハーネス本体部１２が当該形状に規制される。この経路規制部分２２は、間隔をあけて複数（ここでは２つ）設けられている。なお、ここでは、経路規制部分２２は、横断面円形状に形成されているが、横断面楕円形、横断面多角形状等に形成されていてもよい。
【００３２】
曲げ許容部分２４は、ワイヤーハーネス本体部１２の延在方向に沿って上記経路規制部分２２の隣でワイヤーハーネス本体部１２を覆う不織部材によって形成されている。ここでは、曲げ許容部分２４は、複数（ここでは２つ）の経路規制部分２２の間に設けられている。この曲げ許容部分２４は、上記経路規制部分２２よりも曲げ容易に形成されている。曲げ許容部分２４を、上記経路規制部分２２よりも曲げ容易にするためには、曲げ許容部分２４をホットプレス成形用型に接触させずにホットプレスしていないこと、つまり、その表面がホットプレス用の型面に接しないで初期の表面状態を維持していることが好ましい。もっとも、上記経路規制部分２２よりも曲げ容易な範囲で、曲げ許容部分２４をホットプレス成形用金に接触させてホットプレス加工してもよい。また、この曲げ許容部分２４は、上記経路規制部分２２よりも凹んでいる。より具体的には、曲げ許容部分２４は、その周方向全体で経路規制部分２２よりも凹んでいる。
【００３３】
上記経路規制部分２２と曲げ許容部分２４とを作分ける具体的構成例については、後に製造方法例と共に説明する。
【００３４】
このように構成されたワイヤーハーネス１０によると、経路規制部分２２によってワイヤーハーネス１０の経路規制を行うことができる。また、図２に示すように、曲げ許容部分２４でワイヤーハーネス１０を部分的に曲げることができる。これにより、例えば、ワイヤーハーネス１０を搬送する際に、ワイヤーハーネス１０を曲げ許容部分２４で２つ折りするように折曲げてその全長を短くし、この状態で、搬送用のコンテナボックス等に効率よく収容することができ、搬送作業を効率的に行える。また、ワイヤーハーネス１０を車両等に組付ける際には、ワイヤーハーネス１０を曲げ許容部分２４で曲げつつ当該組付作業を行うできる。特に、車両等における狭い隙間を通ってワイヤーハーネス１０を車両等に組付ける際には、ワイヤーハーネス１０を曲げ許容部分２４で曲げてコンパクトな形態にして前記狭い隙間を通すことができ、車両等の組付作業を容易に行うことができる。また、本ワイヤーハーネス１０を実際に車両等に組付ける際には、車両等における実際の布設経路に応じて、ワイヤーハーネス１０を曲げ許容部分２４で柔軟に変形させて組付作業を容易に行うことができる。
【００３５】
また、上記曲げ許容部分２４は、経路規制部分２２よりも圧縮度合及び加熱度合が低く柔軟であるため、耐摩耗性に劣る恐れがある。そこで、曲げ許容部分２４を経路規制部分２２よりも凹ませることで、ワイヤーハーネス１０の搬送時、組付状態等において、周辺部材が曲げ許容部分２４には接触し難くなる。これにより、保護部材２０全体として良好な耐摩耗性を得ることができる。特に、搬送時のみ曲げ許容部分２４で曲げ、車両における組付状態では曲げ許容部分２４を直線状にすることで、周辺部材が曲げ許容部分２４には接触し難くなる。
【００３６】
上記保護部材２０をホットプレスによって製造する方法について説明する。
【００３７】
まず、図３及び図４に示すように、ワイヤーハーネス本体部１２の少なくとも一部にその延在方向に沿って均一な厚み（巻付状態における筒状形態における径方向に沿った厚み）となるように第１不織部材３０を巻付ける。巻付状態における第１不織部材３０の厚みは、第１不織部材３０の柔軟な性質上或は巻付け方法による第１不織部材３０の重なり度合のばらつき等に応じて、ワイヤーハーネス本体部１２の延在方向に沿って多少の差が生じてしまってもよい。
【００３８】
ここでは、第１不織部材３０として方形シート状の不織布を用い、当該第１不織部材３０をワイヤーハーネス本体部１２に少なくとも１回巻付けている。これにより、比較的広い範囲に亘ってなるべく均一な態様で第１不織部材３２を巻付けることができる。第１不織部材３０は、１周〜１．５周程度巻付けられるとよい。もっとも、第１不織部材３０として細帯状の不織布を用い、これを螺旋状にワイヤーハーネス本体部１２に巻付けてもよい。
【００３９】
なお、後述するホットプレス加工時において、第１不織部材３０の表面がホットプレス用成形型の型面に接触しないようにするため、第１不織部材３０の巻付け後の横断面の外形は、後述する下型面６３及び上型面７２とで形成されるホットプレス用の空間の横断面形状よりも小さくなるように形成されることが好ましい。
【００４０】
次に、図５及び図６に示すように、ワイヤーハーネス本体部１２に巻付けられた第１不織部材３０の外周にその延在方向に沿って部分的に、つまり、上記経路規制部分２２に対応する部分に第２不織部材３２を巻付ける。
【００４１】
ここでは、第２不織部材３２として細帯状の不織布を螺旋状に巻付ける。第２不織部材３２として細帯状の不織部布を用いることで、局所的に第２不織部材３２を巻付け易い。第２不織部材３２の巻付は、第１不織部材３０の外周にさらに１周程度分巻付けるように行うことが好ましい。
【００４２】
つまり、曲げ許容部分２４では、不織部材としての第１不織部材３０が１周〜１．５周程度巻付けられ、経路規制部分２２では不織部材としての第１不織部材３０及び第２不織部材３２が２〜２．５周程度巻付けられていることが好ましい。
【００４３】
もっとも、第２不織部材３２として、方形シート状の不織布を用い、これを第１不織部材３０の外周に螺旋状に巻付けてもよい。
【００４４】
なお、ここでは、上記のように複数の経路規制部分２２を設けるため、第１不織部材３０の外周に間隔をあけて複数箇所（２箇所）に、第２不織部材３２を巻付けている。
【００４５】
次に、ホットプレス加工を行う。ここで、ホットプレス用成形型の構成例について説明する。図７はホットプレス用成形型６０を示す説明図であり、図８はホットプレス加工中におけるホットプレス用成形型６０の概略横断面図であり、図９はホットプレス加工中におけるホットプレス用成形型６０の一部分の概略縦断面図である。
【００４６】
ホットプレス用成形型６０は、下型６２と、上型７０とを備える。
【００４７】
下型６２は、熱伝導性に優れた金属等により形成された長尺部材であり、その一主面（上面）に下型面６３が形成されている。下型面６３は、概略的には、底部が半円筒表面形状を呈しかつ上方に開口する溝形状に形成されている。下型面６３の長手方向の長さは、ワイヤーハーネス本体部１２における保護対象部分（保護部材２０で覆うべき部分）の長さと略同一に形成されている。また、下型面６３は、ワイヤーハーネス本体部１２における保護対象部分を車体に配設した場合の経路に応じて延びる形状に形成されている（図７では直線状、曲っていてもよい）。
【００４８】
上型７０は、熱伝導性に優れた金属等により形成された長尺部材であり、その一主面（下面）に上部が半円筒表面形状を呈しかつした方に開口する溝形状の上型面７２が形成されている。上型面７２は、上記下型面６３の上方開口を塞ぎつつ当該下型面６３内に配設可能な幅に形成されている。また、上型面７２は、上記下型面６３の屈曲形状に応じて、経路に応じて延びる形状に形成されている。
【００４９】
そして、この上型面７２が下型面６３内に配置されることにより、上型面７２と下型面６３との間で、保護部材２０を形成可能なスペースが形成される。なお、下型６２及び上型７０には、ヒーター等の加熱部６６が設けられている。
【００５０】
上記ホットプレス用成形型６０を用いてホットプレス加工を行う方法について説明する。
【００５１】
すなわち、ワイヤーハーネス本体部１２のうち第１不織部材３０及び第２不織部材３２が巻付けられた箇所を、下型面６３内に押込む。
【００５２】
この後、上型７０の上型面７２を下型面６３内に挿入し、この状態で、ホットプレス用成形型６０内でホットプレスする。この状態では、下型面６３及び上型面７２は、第２不織部材３２の外周には押し当てられているが、第１不織部材３０のうち第２不織部材３２が巻付けられていない部分の外周には押し当てられない（図９参照）。つまり、第２不織部材３２は圧縮されているが、第１不織部材３０のうち第２不織部材３２が巻付けられていない部分は圧縮されていない。そして、上記状態で、下型６２及び上型７０を加熱してホットプレスを行うと、第２不織部材３２部分は圧縮状態で加熱される。また、第１不織部材３０のうち第２不織部材３２が巻付けられていない部分は圧縮されず、また、高温への加熱は抑制された状態となる。なお、この状態で、第１不織部材３０のうち第２不織部材３２が巻付けられていない部分は、接着樹脂が溶融しないことが好ましい。しかしながら、当該部分は、最終的に経路規制部分２２よりも曲げ容易であればよいので、多少の接着樹脂が溶融してもよい。
【００５３】
この後、第１不織部材３０及び第２不織部材３２が冷却されると、第２不織部材３２が巻付けられた部分ではその表面が下型面６３及び上型面７２の形状に応じた形状で硬化し、これにより、経路規制部分２２が形成される。また、第２不織部材３２が巻付けられた部分では、不織部材が接触部分で接合されて、ワイヤーハーネス本体部１２を覆った状態が維持される。また、第１不織部材３０のうち第２不織部材３２が巻付けられていない箇所では、第２不織部材３２が初期状態で有していた曲げ容易な性質が維持され、これにより、曲げ許容部分２４が形成される。
【００５４】
この製造方法によると、ワイヤーハーネス本体部１２に巻付けられた第１不織部材３０に対して第２不織部材３２が巻付けられた箇所では、ホットプレス用成形型６０によって十分に硬化するように加工されるため、ワイヤーハーネス１０の経路規制を行うことができる。また、ワイヤーハーネス本体部１２に巻付けられた第１不織部材３０のうち第２不織部材３２が巻付けられていない箇所では、第１不織部材３０の柔軟性が維持され、ワイヤーハーネス１０を部分的に曲げ容易にすることができる。このようにして、上記ワイヤーハーネス１０を容易に形成することができる。
【００５５】
なお、上記実施形態では、第１不織部材３０と第２不織部材３２とが別々である例で説明したが、図１０に示す変形例のように、第１不織部材３０に対応する第１不織部材１３０の部分の一側縁部に、第２不織部材３２に対応する第２不織部材１３２の部分が延出するように、一体形成されたものを用いてもよい。ここでは、第１不織部材１３０の部分の一側縁部の両端部に間隔をあけて第２不織部材１３２の部分が延出している。
【００５６】
そして、第１不織部材１３０の部分の他側縁部に沿ってワイヤーハーネス本体部１２を配設して、図１１に示すように、第１不織部材１３０の部分をワイヤーハーネス本体部１２に巻付ける。次に、図１２に示すように、第２不織部材１３２の部分を、巻付けられた第１不織部材部分１３０の外周に巻付けている。
【００５７】
この後、上記実施形態と同様に、ホットプレス用成形型６０を用いて、第２不織部材１３２が巻付けられた部分をホットプレスすると、上記実施形態と同様のワイヤーハーネスが製造される。特に、この変形例によると、一枚の不織シートを用いて製造できるため、部品種類数の削減及び製造の容易化を図ることができ、また、第２不織部材１３２の巻付け箇所を揃えやすいというメリットもある。
【００５８】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００５９】
１０  ワイヤーハーネス
１２  ワイヤーハーネス本体部
２０  保護部材
２２  経路規制部分
２４  曲げ許容部分
３０、１３０  第１不織部材
３２、１３２  第２不織部材
６０  ホットプレス用成形型
６２  下型
６３  下型面
７０  上型
７２  上型面
【図１】
0005660001.tif 000002
【図２】
0005660001.tif 000003
【図３】
0005660001.tif 000004
【図４】
0005660001.tif 000005
【図５】
0005660001.tif 000006
【図６】
0005660001.tif 000007
【図７】
0005660001.tif 000008
【図８】
0005660001.tif 000009
【図９】
0005660001.tif 000010
【図１０】
0005660001.tif 000011
【図１１】
0005660001.tif 000012
【図１２】
0005660001.tif 000013